【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
お互いに別々である少なくとも１枚の使用カードと少なくとも１枚のリロードカードの使用によってカード取引を行う方法であって、
前記方法は、アカウントの値を記憶するデータストアを備える中央プロセッサとポイントオブセール（ＰＯＳ）との間で行われ、
前記少なくとも１枚の使用カードは、使用カード識別しるしに関係付けられ、前記少なくとも１枚の使用カードに関連付けられたアカウントから値を減らす使用カード取引のために専用に使用され、
前記少なくとも１枚のリロードカードは、リロードカード識別しるしに関係付けられ、前記少なくとも１枚のリロードカードに関連付けられたアカウントに値を追加するリロードカード取引のために専用に使用され、
前記少なくとも１枚の使用カードと前記少なくとも１枚のリロードカードとが同じアカウントに向けられるようにアクティブ化されるように、前記中央プロセッサをして、前記使用カード識別しるしを前記リロードカード識別しるしに関連付けさせるアクティブ化要求を、ＰＯＳにおいて前記中央プロセッサに送り、前記アクティブ化要求は、前記使用カード識別しるしと前記リロードカード識別しるしに関連付けられた情報を含み、
前記使用カード取引において、前記少なくとも１枚の使用カードに関連付けられた前記アカウントから、何らかの運賃、料金、および／または、任意の他の種類の請求金額に対する使用値を支払うために、第１のＰＯＳによって前記使用カード識別しるしを受け取り、
前記使用カード識別しるしと、支払われるべき前記使用値を含む、前記使用カード取引を認可するための料金兌換要求を、前記第１のＰＯＳによって前記中央プロセッサに送り、
前記中央プロセッサに、前記第１のＰＯＳからの前記料金兌換要求に応答して、前記少なくとも１枚の使用カードに関連付けられた前記アカウントから前記使用値を減らさせ、
第２のＰＯＳによって、前記リロードカード識別しるしと、前記リロードカード取引において、前記少なくとも１枚のリロードカードに関連付けられた前記アカウントに追加されるべきリロード値を受け取り、
前記リロードカード識別しるしと、前記少なくとも１枚のリロードカードに関連付けられた前記アカウントに追加されるべき前記リロード値とを含む、前記リロードカード取引のためのリロード要求を、前記第２のＰＯＳによって前記中央プロセッサに送り、
前記中央プロセッサに、前記第２のＰＯＳによる前記リロード要求に応答して、前記少なくとも１枚のリロードカードに関連付けられた前記アカウントに前記リロード値を追加させる、
方法。
【請求項２】
前記ＰＯＳにより、前記アカウントのステータスを含むファクターに基づいて、前記使用カード識別しるしが前記使用カード取引にとって有効であるかどうかを決定することによって前記使用カードの使用を事前認可することを更に備える、請求項１に記載の方法。
【請求項３】
前記中央プロセッサに、前記アカウントにおける値が、前記第１のＰＯＳからの前記使用カード取引のための前記料金兌換要求によって要求された前記使用値の量よりも大きいか等しいかどうかを決定させることと、
前記アカウントにおける値が、前記料金兌換要求によって要求された前記使用値の量より少ない場合、前記第１のＰＯＳにおいて、前記中央プロセッサから、前記料金兌換要求の拒否を受け取ることと、
前記アカウントにおける値が、前記料金兌換要求によって要求された前記使用値の量より大きいか等しい場合、前記第１のＰＯＳにおいて、前記中央プロセッサから、前記料金兌換要求の承認を受け取り、前記使用値の量が、前記アカウントから減らされることと、
を更に備える、請求項１に記載の方法。
【請求項４】
前記第１のＰＯＳにおいて、
前記使用カードが、有効でない、または、好ましくないカードであるかどうか、
前記使用カードが、滞納している、残高がない、または、前記使用カード取引において任意の商品および／またはサービスに対して支払うための残高が不十分であるかどうか、
の少なくとも一方を決定することを更に備える、請求項１に記載の方法。
【請求項５】
前記使用カード識別しるしは、前記少なくとも１枚の使用カードの上に印刷されるかまたは記憶された機械読取可能なしるしを備える、請求項１に記載の方法。
【請求項６】
前記リロードカード識別しるしは、前記少なくとも１枚のリロードカードの上に印刷されるかまたは記憶された機械読取可能なしるしを備える、請求項１に記載の方法。
【請求項７】
前記中央プロセッサをして、前記使用カード識別しるしを前記リロードカード識別しるしに関連付けさせることは、
前記使用カード識別しるしを含む前記アクティブ化要求を、ＰＯＳによって前記中央プロセッサに送ることと、
前記中央プロセッサに、
前記使用カード識別しるしが有効であるかどうかを決定することと、
前記使用カードを前記アカウントに関連付け、前記使用カードをアクティブ化することと、
をさせることと、
を備える、請求項１に記載の方法。
【請求項８】
前記中央プロセッサをして、前記使用カード識別しるしを前記リロードカード識別しるしに関連付けさせることは、
前記リロードカード識別しるしを含む前記アクティブ化要求を、ＰＯＳによって前記中央プロセッサに送ることと、
前記中央プロセッサに、
前記リロードカード識別しるしが有効であるかどうかを決定することと、
前記リロードカードを前記アカウントに関連付け、前記リロードカードをアクティブ化することと、
をさせることと、
を備える、請求項１に記載の方法。
【請求項９】
前記少なくとも１枚の使用カードと前記少なくとも１枚のリロードカードは、前記少なくとも１枚の使用カードと前記少なくとも１枚のリロードカードとの両方に関連付けられた前記アカウントをアクティブ化することによってアクティブ化される、請求項１に記載の方法。
【請求項１０】
前記中央プロセッサに、前記使用カード識別しるしを前記リロードカード識別しるしに関連付けさせることは、前記中央プロセッサに、前記使用カード識別しるしと前記リロードカード識別しるしを同じアカウントに関連付けさせることを備える、請求項１に記載の方法。
【請求項１１】
前記中央プロセッサに、前記使用カード識別しるしが有効かどうかを決定させ、前記使用カード識別しるしが有効でない場合に前記使用カード取引を拒否させることを更に備える、請求項１に記載の方法。
【請求項１２】
前記中央プロセッサに、好ましくないアカウントまたは使用カード識別しるしのリストを記憶するネガティブデータベースに基づいて、前記使用カード取引が拒否されるか否かを決定させることを更に備える、請求項１に記載の方法。
【請求項１３】
前記中央プロセッサに、前記リロードカード識別しるしが有効かどうかを決定させ、前記リロードカード識別しるしが有効でない場合に、前記リロードカード取引を拒否させることを更に備える、請求項１に記載の方法。
【請求項１４】
前記第２のＰＯＳにおいて、前記リロードカード取引が成功したとの確認を、中央プロセッサから受け取ることを更に備える、請求項１に記載の方法。
【請求項１５】
前記少なくとも１枚の使用カードと前記少なくとも１枚のリロードカードは、アクティブ化前に、パッケージに配置され、
前記パッケージは、配置された前記少なくとも１枚の使用カードの前記使用カード識別しるしと配置された前記少なくとも１枚のリロードカードの前記リロードカード識別しるしとの両方に関連付けられたパッケージングしるしを有する、
請求項１に記載の方法。
【請求項１６】
前記アクティブ化要求は、前記中央プロセッサに、前記パッケージングしるしに基づいて、配置された前記少なくとも１枚の使用カードと配置された前記少なくとも１枚のリロードカードをアクティブ化させるために、前記パッケージからＰＯＳによって読まれた、または、取得された前記パッケージングしるしを備える、請求項１５に記載の方法。
【請求項１７】
前記パッケージングしるしは、前記パッケージ上に印刷されるか、または、記憶された機械読取可能しるしを備える、請求項１６に記載の方法。
【請求項１８】
前記アカウントにおける前記値が、前記料金兌換要求によって要求された前記使用値の量より少ない場合、前記料金兌換要求の拒否の代わりに、前記料金兌換要求が、前記中央プロセッサに、
前記アカウントにおける値の総量に対して前記使用カード取引を認可させ、
前記料金兌換要求における前記使用値の量を前記アカウントから差し引かせ、結果、前記アカウントに負の残高を生じさせる、
請求項３に記載の方法。
【請求項１９】
１枚の使用カードが、複数枚のリロードカードに関連付けられる、請求項１に記載の方法。
【請求項２０】
１枚のリロードカードが、複数枚の使用カードに関連付けられる、請求項１に記載の方法。
【請求項２１】
前記第１のＰＯＳと前記第２のＰＯＳは、同じＰＯＳである、請求項１に記載の方法。
【請求項２２】
お互いに別々である使用カードとリロードカードを使用するカード取引を行うためのシステムであって、
前記使用カードは、使用カード識別しるしに関係付けられ、前記使用カードに関連付けられたアカウントから値を減らす使用カード取引のために専用に使用され、
前記リロードカードは、リロードカード識別しるしに関係付けられ、前記リロードカードに関連付けられたアカウントに値を追加するリロードカード取引のために専用に使用され、
小売ポイントオブセール（ＰＯＳ）であって、
前記使用カード識別しるしを前記リロードカード識別しるしに関連付けるためのアクティブ化要求を送り、前記アクティブ化要求は、前記使用カード識別しるしと前記リロードカード識別しるしに関連付けられた情報を含み、
前記使用カード取引において、前記使用カードに関連付けられた前記アカウントから、何らかの運賃、料金、および／または、任意の他の種類の請求金額に対する使用値を支払うために前記使用カード識別しるしを受け取り、
前記使用カード識別しるしと、支払われるべき前記使用値を含む、前記使用カード取引を認可するための料金兌換要求を送り、
前記リロードカード識別しるしと、前記リロードカード取引において、前記リロードカードに関連付けられた前記アカウントに追加されるべきリロード値を受け取り、
前記リロードカード識別しるしと、前記リロードカードに関連付けられた前記アカウントに追加されるべき前記リロード値とを含む、前記リロードカード取引のためのリロード要求を送る、
ように構成された小売ＰＯＳと、
前記小売ＰＯＳと選択的に通信する中央プロセッサであって、
少なくとも１つのプロセッシングモジュールであって、
前記使用カード識別しるしを前記リロードカード識別しるしに関連付けるためのアクティブ化要求を前記小売ＰＯＳから受け取り、同じアカウントに向けられるように前記使用カードと前記リロードカードとをアクティブ化し、
前記小売ＰＯＳからの前記料金兌換要求に応答して、前記使用カードに関連付けられた前記アカウントから前記使用値を減じ、
前記小売ＰＯＳからの前記リロード要求に応答して、前記リロードカードに関連付けられた前記アカウントに前記リロード値を追加する、
ように構成された少なくとも１つのプロセッシングモジュールと、
前記使用カードと前記リロードカードとに関連付けられた前記アカウントに、値の量を示す情報を記憶する第１のデータ記憶と、
を備える中央プロセッサと、
を備える、システム。
【請求項２３】
前記中央プロセッサは、更に、前記カード取引に対して認可されない１つまたはそれより多くのアカウント、または、１枚またはそれより多くの使用カードまたはリロードカードに関連付けられた１つまたはそれより多くの記録を記憶する第２のデータ記憶を備え、
前記少なくとも１つのプロセッシングモジュールは、更に、前記１つまたはそれより多くの記録に基づき、前記小売ＰＯＳからの前記料金兌換要求が拒否されるか否かを決定するよう構成される、
請求項２２に記載のシステム。
【請求項２４】
前記中央プロセッサは、更に、前記カード取引に対して認可されない１つまたはそれより多くのアカウント、または、１つまたはそれより多くの使用カードまたはリロードカードに関連付けられた１つまたはそれより多くの記録を記憶する第２のデータ記憶を備え、
前記少なくとも１つのプロセッシングモジュールは、更に、前記１つまたはそれより多くの記録に基づき、前記小売ＰＯＳからの前記リロード要求が拒否されるか否かを決定するよう構成される、
請求項２２に記載のシステム。
【請求項２５】
前記小売ＰＯＳは、前記アカウントのステータスを含むファクターに基づいて、１つまたは複数の特定の取引タイプに対する前記カード取引のための前記使用カードの使用の事前認可を決定し、
前記小売ＰＯＳが、前記アカウントのステータスが特定の取引タイプに対する前記カード取引を認可されないと決定する場合、前記小売ＰＯＳは、前記カード取引を拒否する、
請求項２２に記載のシステム。
【請求項２６】
前記アカウントの前記ステータスは、前記アカウントが、
滞納している、残高がない、または、前記使用カード取引において任意の商品および／またはサービスに対して支払うための残高が不十分であるかどうかを含む、請求項２５に記載のシステム。
【請求項２７】
前記ファクターは、前記使用カードが、有効でない、または、好ましくないカードに関連付けられるかどうかを含む、請求項２６に記載のシステム。
【請求項２８】
前記アクティブ化要求は、前記使用カード識別しるしを含み、
前記少なくとも１つのプロセッシングモジュールは、更に、
前記使用カード識別しるしが有効かどうかを決定し、
前記アカウントを前記使用カードに関連付け、前記使用カードをアクティブ化する、
ように構成される、請求項２２に記載のシステム。
【請求項２９】
前記アクティブ化要求は、前記リロードカード識別しるしを含み、
前記少なくとも１つのプロセッシングモジュールは、更に、
前記リロードカード識別しるしが有効かどうかを決定し、
前記アカウントを前記リロードカードに関連付け、前記リロードカードをアクティブ化する、
請求項２２に記載のシステム。
【請求項３０】
前記少なくとも１つのプロセッシングモジュールは、前記使用カードと前記リロードカードの両方に関連付けられた前記アカウントをアクティブ化することによって、前記使用カードと前記リロードカードをアクティブ化するように構成される、請求項２２に記載のシステム。
【請求項３１】
前記少なくとも１つのプロセッシングモジュールは、前記使用カード識別しるしと前記リロードカード識別しるしを同じアカウントに関連付けることによって、前記使用カード識別しるしを前記リロードカード識別しるしに関連付ける、請求項２２に記載のシステム。
【請求項３２】
前記１つまたはそれより多くの記録は、好ましくないアカウントまたは使用カード識別しるしのリストを記憶するネガティブデータベースを備える、請求項２３に記載のシステム。
【請求項３３】
前記少なくとも１つのプロセッシングモジュールは、更に、前記リロードカード識別しるしが有効であるかどうかを決定し、前記リロードカード識別しるしが有効でない場合、前記リロードカード取引を拒否するよう構成される、請求項２２に記載のシステム。
【請求項３４】
前記少なくとも１つのプロセッシングモジュールは、更に、前記リロードカード取引が成功したとの確認を、前記小売ＰＯＳに送るよう構成される、請求項２２に記載のシステム。
【請求項３５】
前記使用カードと前記リロードカードは、パッケージで前記小売ＰＯＳに提供され、
前記パッケージは、配置された前記使用カードの前記使用カード識別しるしと配置された前記リロードカードの前記リロードカード識別しるしとの両方に関連付けられたパッケージングしるしを有し、
前記小売ＰＯＳは、前記パッケージから前記小売ＰＯＳによって読まれた、または、取得された前記パッケージングしるしを含む前記アクティブ化要求を送り、
前記少なくとも１つのプロセッシングモジュールは、前記パッケージングしるしに基づいて、配置された前記使用カードと配置された前記リロードカードとをアクティブ化するよう構成される、
請求項２２に記載のシステム。
【請求項３６】
前記アカウントにおける前記値が、前記料金兌換要求によって要求された前記使用値の量より少ない場合、前記少なくとも１つのプロセッシングモジュールは、前記アカウントにおける値の総量に対して前記使用カード取引を認可し、前記アカウントから、前記料金兌換要求における前記使用値の量を減じ、それによって、前記アカウントに負の残高を生じさせる、請求項２２に記載のシステム。
【請求項３７】
１つまたはそれより多くの取引タイプの各々に配置された、または、関連付けられた１つまたはそれより多くの小売ＰＯＳを更に備える、請求項２２に記載のシステム。